(57)【要約】本発明は、経営管理情報システムの総合的使用、分離独立及び融合シナジーの方法に関し、組織ツリーを管理し、企業グループの部門情報、各会社情報及び会社部門の情報を追加、変更又は削除するステップと、従業員情報における所属会社又は組織の情報及び所属部門の情報を追加、変更又は削除し、管理会社情報を動的に追加、変更又は削除するステップと、ユーザの所属会社の情報に基づき、該会社又は組織のＬＯＧＯとスタイルをロードするステップと、各業務サブシステムにおいて、データ追加又は削除の操作コマンドを有する各ＷＥＢページごとに、所属会社のプルダウン選択コントロールを追加し、かつ管理会社情報をバインディングし、該ＷＥＢページにロードされたデータ及びリソースが全てプルダウン選択コントロールにおいて選択された管理会社から取得されるステップとを含む。経営管理情報システムの総合的使用、分離独立及び融合シナジーを実現し、企業と各会社とのシステムの間でのシングルサインオンを実現し、データが統合され、情報のサイロ化が解消される。
2019522303.tif 000002
【特許請求の範囲】
【請求項１】
経営管理情報システムの総合的使用、分離独立及び融合シナジーの方法であって、経営管
理情報システムにおいて組織ツリーを管理し、企業グループの部門情報、企業グループに
属する各合同会社の情報及び会社部門の情報を動的に追加、変更又は削除するステップ１
）と、企業及び企業に属する各合同会社の従業員情報における所属会社又は組織の特徴情
報及び所属組織部門の特徴情報を動的に追加、変更又は削除し、管理組織の特徴情報を動
的に追加、変更又は削除するステップ２）と、ユーザの所属会社又は所属組織の情報に基
づき、該会社又は組織のＬＯＧＯとスタイル又は会社又は組織の他の専有情報などを動的
にロードするステップ３）と、各業務サブシステムにおいて、データ追加又は削除の操作
コマンドを有する各ＷＥＢページごとに、所属会社又は所属組織のプルダウン選択コント
ロール又はラジオボックスグループを追加し、かつ管理組織の特徴情報をバインディング
し、該ＷＥＢページにロードされたデータ及びリソースが全てプルダウン選択コントロー
ル又はラジオボックスグループにおいて選択された管理会社から取得されるステップ４）
とを含む、ことを特徴とする経営管理情報システムの総合的使用、分離独立及び融合シナ
ジーの方法。
【請求項２】
組織ツリーにおけるノードを変更、追加及び削除するステップをさらに含み、ルートノー
ドがグループ会社、ルートノード下の子ノードがグループ会社の各部門又は所属会社であ
り、ツリールートノードと同様に、各所属会社ノードがルートノードから派生した組織ツ
リーと見なすこともでき、組織ツリーのルートノード情報がデータベースに予め設定され
てもよく、又は、システムにより提供されたインタフェースを介して管理者又は認定ユー
ザにより追加されて、かつそれに所属管理会社と部門を動的に追加してもよく、上記と同
じ方法でツリーにおける各ノードに子ノードを追加することができる、ことを特徴とする
請求項１に記載の経営管理情報システムの総合的使用、分離独立及び融合シナジーの方法
。
【請求項３】
経営管理情報システムの各業務サブシステムにおいて、データ追加又は削除の操作コマン
ドを有する各ＷＥＢページごとに、所属会社又は所属組織のプルダウン選択コントロール
又はラジオボックスグループを追加するステップをさらに含み、追加された所属会社又は
所属組織のプルダウン選択コントロールの初期状態が非可視又は非表示状態に設定され、
システムはログインユーザの所属組織会社及び管理会社情報を検出し、管理会社情報が存
在しない場合、プルダウン選択コントロール又はラジオボックスグループを非可視又は非
表示状態に保持し、そうではない場合、プルダウン選択コントロール又はラジオボックス
グループの状態を可視又は表示状態に変更し、ユーザ情報管理において追加された管理組
織情報をバックエンドデータベースにおいてバインディングする、ことを特徴とする請求
項１に記載の経営管理情報システムの総合的使用、分離独立及び融合シナジーの方法。
【請求項４】
業務サブシステムにおいて、所属会社又は所属組織のプルダウン選択コントロール又はラ
ジオボックスグループを有するＷＥＢページには、該プルダウン選択コントロールの状態
が非可視又は非表示状態である場合に、該ＷＥＢページにロードされたデータが全てログ
インユーザの所属会社から取得され、変更又は追加されたデータが全てユーザの所属会社
に属し、削除されたデータが全てユーザの所属会社から取得され、バックエンドデータベ
ースにおいて上記プルダウン選択コントロール又はラジオボックスグループに企業と各会
社の情報がバインディングされた場合に、プルダウン選択コントロール又はラジオボック
スグループのデフォルト選択項目がユーザの所属会社として設定され、該ＷＥＢページに
ロードされたデータ及びリソースが全てログインユーザの所属会社から取得され、変更又
は追加されたデータ及びリソースが全てユーザの所属会社に属し、削除されたデータ及び
リソースが全てユーザの所属会社に属し、ユーザがプルダウン選択コントロール又はラジ
オボックスグループにおける他の選択項目を選択した場合に、該ＷＥＢページにロードさ
れたデータ及びリソースが全てプルダウン選択コントロール又はラジオボックスグループ
において選択された管理会社から取得され、変更又は追加されたデータ及びリソースが全
てプルダウン選択コントロール又はラジオボックスグループにおいて選択された管理会社
に属し、削除されたデータ及びリソースが全てプルダウン選択コントロール又はラジオボ
ックスグループにおいて選択された管理会社から取得される、ことを特徴とする請求項３
に記載の経営管理情報システムの総合的使用、分離独立及び融合シナジーの方法。
【発明の詳細な説明】
【技術分野】
【０００１】
本発明は、経営管理情報システムの分野に関し、特に経営管理情報システムの総合的使用
、分離独立及び融合シナジーの方法に関する。
【背景技術】
【０００２】
情報技術の継続的な発展に伴って、多くの企業が自分のニーズに合った企業経営管理情報
システムを構築し、このような経営管理情報システムは企業の管理環境を改善し、企業の
管理コストを削減し、作業効率を向上させた。
【発明の概要】
【発明が解決しようとする課題】
【０００３】
企業の継続的な発展と成長に伴って、１つの合同会社から複数の合同会社を有するグルー
プ企業に発展し、又はグループ企業に複数の合同会社を有する場合、グループ企業とそれ
に属する複数の合同会社との間に、統合されて完全にカバーされ、互いに完全に独立して
分離し、互いに通信可能で融合シナジーを実現し、且つ情報のサイロ化を解消し、シング
ルサインオンが実現された経営管理情報システムを如何に構築するかは、多くの企業にと
って前向きな情報化計画の課題となっている。従来の企業経営管理情報システムが上記目
的を同時に達成しにくい場合が多い。企業に経営管理情報システムを適用した後、企業の
更なる発展に伴って、業務が独立する１つ以上の合同会社が派生され、これらの会社と企
業グループとの間は、経営管理において、互いに完全に独立して分離していると共に、互
いに通信可能で融合シナジーを実現し、シングルサインオンを実現し、このように企業の
成長ニーズを動的に満たす適応型経営管理情報システムは、上記前向きな情報化計画の課
題のために、実用的で効果的な解決方法を提供する。
【０００４】
上記現実的な問題を解決するために、本発明は、上記企業経営管理情報システムの前向き
な情報化計画の課題を解決し、企業の発展に動的に対応でき、新たに設立されて企業に属
する各合同会社を動的にカバーでき、それにより、企業と各合同会社との間が経営管理に
おいて、互いに完全に独立して分離していると共に、互いに通信可能で、融合シナジーを
実現し、シングルサインオンを実現する、経営管理情報システムの総合的使用、分離独立
及び融合シナジーの方法を提供する。
【課題を解決するための手段】
【０００５】
上記目的を達成させるために、本発明は以下の技術案を用いる。
【０００６】
本発明は、下記ステップを含む経営管理情報システムの総合的使用、分離独立及び融合シ
ナジーの実現方法を提供する。
【０００７】
組織ツリーの動的管理：企業経営管理情報システムにおいてツリー型構造の組織管理を追
加し、企業グループをルートノードとして、企業グループの部門情報の動的な追加、変更
又は削除と、企業グループに属する各合同会社の情報及び会社部門の情報の動的な追加、
変更又は削除とを含むリーフノードの動的な追加、変更又は削除を行い、かつ企業、企業
部門、管理会社及び会社部門の情報特徴をデータベースに格納する。
【０００８】
ユーザ情報管理：企業及び企業に属する各合同会社の従業員情報に、所属会社又は組織の
特徴情報及び所属組織部門の特徴情報を動的に追加、変更又は削除し、企業及び企業に属
する各合同会社の従業員情報に、ユーザの所属会社又は組織及び管理会社又は組織情報を
含む管理組織の特徴情報を動的に追加、変更又は削除し、シングルサインオンを実現する
。
【０００９】
経営管理情報システムにおけるシステムの総合的使用、分離独立及び融合シナジー：各業
務サブシステムにおいて、データ追加又は削除の操作コマンドを有する各ＷＥＢページご
とに、所属会社又は所属組織のプルダウン選択コントロールを追加し、追加された所属会
社又は所属組織のプルダウン選択コントロールの初期状態を非可視又は非表示状態に設定
し、システムはログインユーザの所属組織会社及び管理会社情報を検出し、管理会社情報
が空である場合、プルダウン選択コントロールを非可視又は非表示状態に保持し、そうで
はない場合、プルダウン選択コントロールを可視又は表示状態に変更し、ユーザ情報管理
に追加された管理組織の特徴情報をバックエンドデータベースにおいてバインディングす
る。
【００１０】
経営管理情報システムの各業務サブシステムにおいて、データ追加、変更又は削除の操作
コマンドを有する各ＷＥＢページごとに、所属会社又は所属組織のプルダウン選択コント
ロールが非可視又は非表示状態にある場合、該ＷＥＢページにロードされたデータが全て
ログインユーザの所属会社から取得され、変更又は追加されたデータが全てユーザの所属
会社に属し、削除されたデータが全てユーザの所属会社から取得され、バックエンドデー
タベースにおいて上記プルダウン選択コントロールに企業と各会社情報がバインディング
された場合に、プルダウン選択コントロールのデフォルト選択項目がユーザの所属会社と
して設定され、該ＷＥＢページにロードされたデータ及びリソースが全てログインユーザ
の所属会社から取得され、変更又は追加されたデータ及びリソースが全てユーザの所属会
社に属し、削除されたデータ及びリソースが全てユーザの所属会社に属し、ユーザがプル
ダウン選択コントロールにおける他の項目を選択した場合に、該ＷＥＢページにロードさ
れたデータ及びリソースが全てプルダウン選択コントロールにおいて選択された管理会社
から取得され、変更又は追加されたデータ及びリソースが全てプルダウン選択コントロー
ルにおいて選択された管理会社に属し、削除されたデータ及びリソースが全てプルダウン
選択コントロールにおいて選択された管理会社から取得される。
【００１１】
組織又は会社の商標ＬＯＧＯ及びＨＴＭＬ  Ｃａｓｃａｄｉｎｇ  Ｓｔｙｌｅ  Ｓｈｅｅ
ｔｓスタイルの動的管理：ログインユーザの所属会社又は所属組織の情報に基づき、該会
社又は組織のＬＯＧＯとスタイルを動的にロードする。
【発明の効果】
【００１２】
本発明は、企業の継続的な成長に必要な動的適応型経営管理情報システムによる管理計画
ニーズの問題を解決し、各独立会社に別々経営管理情報システムをインストールせずに、
企業が１つの経営管理情報システムを用いて企業自体及びそれに属する全ての独立会社を
管理することができ、経営管理情報システムの総合的使用を実現して、ソフトの著作権コ
ストを削減すると同時に、企業又はある所属会社のみに働いていて、他の会社において管
理又はパートタイムをしないユーザの場合は、該ユーザがアクセス可能なデータ及びリソ
ースが働いている企業又は会社の内部のものにのみ制限され、このようにシステム同士の
分離及び独立を実現し、他の会社において管理又はパートタイムをしているユーザの場合
は、役割権限管理において取得された権限に応じて管理又はパートタイムをしている会社
のデータ及びリソースをアクセスでき、このようにシステム同士の融合シナジーを実現し
、ユーザの企業と各会社のシステムの間でのシングルサインオンを実現し、企業と各会社
の間のシステムのデータ統合を実現し、情報のサイロ化を解消する。
【図面の簡単な説明】
【００１３】
本発明の実施例の技術案をより明瞭に説明するために、以下、実施例の記述に必要な図面
を簡単に説明し、勿論、以下の記述される図面が本発明の一部の実施例に過ぎず、当業者
であれば、創造的な努力を必要とせず、これら図面に基づいて他の図面を想到し得る。
【図１】本発明の実施例に係る組織ツリーの概略図である。
【図２】本発明の実施例に係る経営管理情報システムの総合的使用、分離独立及び融合シナジーの方法のフローチャートである。
【発明を実施するための形態】
【００１４】
本発明の最良な実施形態
【００１５】
図１は経営管理情報システムの総合的使用、分離独立及び融合シナジーの方法における組
織ツリーの概略図を示している。システム管理者又は認定ユーザが会社又は部門の情報イ
ンタフェースを介して、企業グループ、グループの各部門、各合同会社、合同会社の各部
門を含む組織ツリーのノード情報を追加、変更又は削除する。
【００１６】
組織ツリーにおけるノードを変更、追加及び削除することができる。ルートノードがグル
ープ会社、ルートノード下の子ノードがグループ会社の各部門又は所属会社であり、ツリ
ールートノードと同様に、各所属会社ノードをルートノードから派生した組織ツリーと見
なすこともでき、組織ツリーのルートノード情報は、データベースに予め設定されてもよ
く、又は、システムにより提供されたインタフェースを介して管理者又は認定ユーザによ
り追加されて、かつ所属管理会社と部門を動的に追加してもよく、同じ方法でツリーにお
ける各ノードに子ノードを追加することができる。
【００１７】
図２は経営管理情報システムの総合的使用、分離独立及び融合シナジーの方法のフローチ
ャートを示している。ユーザがシステムをログインするとき、システムはユーザ情報にお
ける所属会社の情報に基づき、所属会社のＬＯＧＯ、ＣＳＳスタイルを動的にロードし、
ユーザの役割権限に基づいて各業務サブシステムをロードする。
【００１８】
特定のサブシステムＷＥＢページにアクセスするとき、システムは、ユーザ情報における
管理会社情報に基づき、ユーザが他の会社において管理又はパートタイムをしているか否
かを判断する。ＮＯと判断された場合、所属会社又は所属組織のプルダウン選択コントロ
ールの初期状態が非可視又は非表示状態に設定され、該ＷＥＢページにその所属会社のデ
ータ又はリソースのみがロードされ、該ＷＥＢページに変更又は追加されたデータが全て
ユーザの所属会社に属し、削除されたデータが全てユーザの所属会社から取得される。Ｙ
ＥＳと判断された場合、所属会社又は組織のプルダウン選択コントロールを表示し、かつ
管理会社情報をバインディングし、コントロールの初期選択項目の値をユーザの所属会社
に設定し、システムは、所属会社又は組織のプルダウン選択コントロールの選択項目の値
に基づき、選択された会社に対応したデータ及びリソースをロードし、該ＷＥＢページに
変更又は追加されたデータが全て所属会社又は組織のプルダウン選択コントロールにおい
て選択される会社又は組織に属し、削除されたデータが全てプルダウン選択コントロール
において選択された会社又は組織から取得される。それにより、１つの経営管理情報シス
テムを用いて企業自体及びそれに属するすべての独立会社を管理でき、このように経営管
理情報システムの総合的使用、分離独立及び融合シナジーを実現し、ユーザの企業と各会
社のシステムの間でのシングルサインオンを実現し、企業と各会社の間のシステムのデー
タの統合を実現し、情報のサイロ化を解消する。
【００１９】
本発明の実施例
発明の実施形態
【００２０】
図１は、経営管理情報システムの総合的使用、分離独立及び融合シナジーの方法における
組織ツリー概略図を示している。システム管理者又は認定ユーザは、会社又は部門情報イ
ンタフェースを介して、企業グループ、グループの各部門、各合同会社、合同会社の各部
門を含む組織ツリーのノード情報を追加、変更又は削除する。
【００２１】
組織ツリーにおけるノードを変更、追加及び削除することができる。ルートノードがグル
ープ会社、ルートノード下の子ノードがグループ会社の各部門又は所属会社であり、ツリ
ールートノードと同様に、各所属会社ノードをルートノードから派生した組織ツリーと見
なすこともでき、組織ツリーのルートノード情報は、データベースに予め設定されてもよ
く、又は、システムにより提供されたインタフェースを介して管理者又は認定ユーザによ
り追加されて、かつ所属管理会社と部門を動的に追加してもよく、同じ方法でツリーにお
ける各ノードに子ノードを追加することができる。
【００２２】
図２は経営管理情報システムの総合的使用、分離独立及び融合シナジーの方法のフローチ
ャートを示している。ユーザがシステムをログインするとき、システムはユーザ情報にお
ける所属会社の情報に基づき、所属会社のＬＯＧＯ、ＣＳＳスタイルを動的にロードし、
ユーザの役割権限に基づいて各業務サブシステムをロードする。
【００２３】
特定のサブシステムＷＥＢページにアクセスするとき、システムはユーザ情報における管
理会社情報に基づき、ユーザが他の会社において管理又はパートタイムをしているか否か
を判断する。ＮＯと判断された場合に、所属会社又は所属組織のプルダウン選択コントロ
ールの初期状態が非可視又は非表示状態に設定され、該ＷＥＢページにその所属会社のデ
ータ又はリソースのみがロードされ、該ＷＥＢページに変更又は追加されたデータが全て
ユーザの所属会社に属し、削除されたデータが全てユーザの所属会社から取得される。Ｙ
ＥＳと判断された場合、所属会社又は組織のプルダウン選択コントロールを表示し、かつ
管理会社情報をバインディングし、コントロールの初期選択項目の値をユーザの所属会社
に設定し、システムは、所属会社又は組織のプルダウン選択コントロールの選択項目の値
に基づき、選択された会社に対応したデータ及びリソースをロードし、該ＷＥＢページに
変更又は追加されたデータが全て所属会社又は組織のプルダウン選択コントロールにおい
て選択される会社又は組織に属し、削除されたデータが全てプルダウン選択コントロール
において選択された会社又は組織から取得される。それにより、１つの経営管理情報シス
テムを用いて企業自体及びそれに属するすべての独立会社を管理でき、このように経営管
理情報システムの総合的使用、分離独立及び融合シナジーを実現し、ユーザの企業と各会
社のシステムの間でのシングルサインオンを実現し、企業と各会社の間のシステムのデー
タ統合を実現し、情報のサイロ化を解消する。
【図１】
2019522303.tif 000003
【図２】
2019522303.tif 000004
【国際調査報告】
2019522303.tif 000005
2019522303.tif 000006
2019522303.tif 000007
2019522303.tif 000008